(57)【要約】【課題】目が不自由なユーザであっても容易に操作入力することができる画像形成装置を提供することである。【解決手段】原稿から画像を読み取って画像データを得る画像読取部と、画像データに基づいて用紙に画像を形成する画像形成部と、ユーザに情報表示するとともにユーザが操作指示を入力する表示操作部とを有する画像形成装置において、前記表示操作部上またはその周辺に、前記表示操作部の表示領域を複数のエリアに分割し、前記複数のエリアのそれぞれをユーザが認識することができるマーキングを備えたことを特徴とする。【選択図】　図３
2004142254.tif 000002
【特許請求の範囲】
【請求項１】
原稿から画像を読み取って画像データを得る画像読取部と、画像データに基づいて用紙に画像を形成する画像形成部と、ユーザに情報表示するとともにユーザが操作指示を入力する表示操作部とを有する画像形成装置において、
前記表示操作部上またはその周辺に、前記表示操作部の表示領域を複数のエリアに分割し、前記複数のエリアのそれぞれをユーザが認識することができるマーキングを備えたことを特徴とする画像形成装置。
【請求項２】
ユーザが押下する確定ボタンと、
ユーザが前記表示操作部上に設けられた入力部を選択した上で前記確定ボタンを押下することによって、前記ユーザが選択した入力部に割り当てられた機能の選択、入力を確定する確定制御手段と
をさらに備えたことを特徴とする請求項１に記載の画像形成装置。
【請求項３】
前記確定制御手段が、前記確定ボタンを押下して初めて選択、入力が確定されるモードと、ユーザが前記表示操作部上に設けられた入力部を選択しただけで選択、入力が確定されるモードとをユーザが切り替えることができるよう制御する
ことを特徴とする請求項２に記載の画像形成装置。
【請求項４】
前記マーキングが、ユーザが触感によって認識可能なものであることを特徴とする請求項１、２または３に記載の画像形成装置。
【請求項５】
前記マーキングが、前記表示操作部の表示領域を複数のエリアに分割する境界部分に設けたものであることを特徴とする請求項４に記載の画像形成装置。
【請求項６】
前記マーキングが、前記表示操作部の表示領域を分割した複数のエリアのそれぞれの上に設けたものであることを特徴とする請求項４に記載の画像形成装置。
【請求項７】
前記マーキングが、前記複数のエリアのそれぞれで同じものであることを特徴とする請求項６に記載の画像形成装置。
【請求項８】
前記マーキングが、前記複数のエリアのそれぞれごとに異なるものであることを特徴とする請求項６に記載の画像形成装置。
【請求項９】
前記マーキングが、前記複数のエリアのそれぞれの名称を点字で示すものであることを特徴とする請求項６に記載の画像形成装置。
【請求項１０】
前記マーキングが、前記複数のエリアの周辺に設けられ、各エリアの縦方向および横方向の位置を示すものであることを特徴とする請求項４に記載の画像形成装置。
【請求項１１】
前記マーキングが、ユーザが音により認識可能なものであることを特徴とする請求項１、２または３に記載の画像形成装置。
【請求項１２】
前記マーキングが、ユーザが複数のエリアのそれぞれに触れると音を発し、該音によって認識可能なものであることを特徴とする請求項１、２または３に記載の画像形成装置。
【請求項１３】
前記マーキングが、前記複数のエリアのそれぞれごとに異なる音を発するものであることを特徴とする請求項１２に記載の画像形成装置。
【請求項１４】
前記マーキングが、前記複数のエリアのそれぞれの横方向エリアナンバーと縦方向エリアナンバーを、縦と横で音の高さを変えて、そのエリアナンバーの数だけブザーを鳴らすものであることを特徴とする請求項１２に記載の画像形成装置。
【請求項１５】
前記マーキングが、前記複数のエリアのそれぞれに予め付けた名称を音声で発するものであることを特徴とする請求項１２に記載の画像形成装置。
【請求項１６】
ユーザに情報表示するとともにユーザが操作指示を入力するタッチパネルを有するタッチパネル付き表示装置において、
前記タッチパネル上またはその周辺に、前記タッチパネルを複数のエリアに分割し、前記複数のエリアのそれぞれをユーザが認識することができるマーキングを備えたことを特徴とするタッチパネル付き表示装置。
【発明の詳細な説明】
【０００１】
【発明の属する技術分野】
本発明は、たとえば電子写真方式により用紙に画像形成する画像形成装置および表示装置に関する。
【０００２】
【従来の技術】
一様に帯電させた感光体の感光層に光を当てて潜像を形成し、この感光層にトナーを付着させて現像し、これを用紙に転写して画像形成を行うディジタル複写機等の電子写真方式の画像形成装置がよく知られている。
【０００３】
このような画像形成装置によって画像形成を行う場合などの操作は、その画像形成装置に設けられた表示操作部を用いてユーザが操作、入力することによって行われる。
【０００４】
たとえば特許文献１には、装置に対して操作入力するためのタッチパネルと装置からの情報表示をするためのディスプレイを重ねた操作装置が開示され、操作性の向上が図られている。
【０００５】
【特許文献１】
特開昭６１−２８２９１６号公報
【発明が解決しようとする課題】
ところが、特許文献１に記載の操作装置や従来の画像形成装置では、目が見えるユーザを対象にした表示操作部となっており、このため、目が不自由なユーザが操作するには非常に不便で、特に全盲者はタッチパネル機能の搭載された装置を操作することができないという問題があった。
【０００６】
本発明は上記の点にかんがみてなされたもので、目が不自由なユーザであっても容易に操作入力することができる画像形成装置を提供することを目的とする。
【０００７】
【課題を解決するための手段】
本発明は上記の目的を達成するために、原稿から画像を読み取って画像データを得る画像読取部と、画像データに基づいて用紙に画像を形成する画像形成部と、ユーザに情報表示するとともにユーザが操作指示を入力する表示操作部とを有する画像形成装置において、前記表示操作部上またはその周辺に、前記表示操作部の表示領域を複数のエリアに分割し、前記複数のエリアのそれぞれをユーザが認識することができるマーキングを備えたことを特徴とする。
【０００８】
また本発明は、請求項１に記載の発明において、ユーザが押下する確定ボタンと、ユーザが前記表示操作部上に設けられた入力部を選択した上で前記確定ボタンを押下することによって、前記ユーザが選択した入力部に割り当てられた機能の選択、入力を確定する確定制御手段とをさらに備えたことを特徴とする。
【０００９】
また本発明は、請求項２に記載の発明において、前記確定制御手段が、前記確定ボタンを押下して初めて選択、入力が確定されるモードと、ユーザが前記表示操作部上に設けられた入力部を選択しただけで選択、入力が確定されるモードとをユーザが切り替えることができるよう制御することを特徴とする。
【００１０】
また本発明は、請求項１、２または３に記載の発明において、前記マーキングが、ユーザが触感によって認識可能なものであることを特徴とする。
【００１１】
また本発明は、請求項４に記載の発明において、前記マーキングが、前記表示操作部の表示領域を複数のエリアに分割する境界部分に設けたものであることを特徴とする。
【００１２】
また本発明は、請求項４に記載の発明において、前記マーキングが、前記表示操作部の表示領域を分割した複数のエリアのそれぞれの上に設けたものであることを特徴とする。
【００１３】
また本発明は、請求項６に記載の発明において、前記マーキングが、前記複数のエリアのそれぞれで同じものであることを特徴とする。
【００１４】
また本発明は、請求項６に記載の発明において、前記マーキングが、前記複数のエリアのそれぞれごとに異なるものであることを特徴とする。
【００１５】
また本発明は、請求項６に記載の発明において、前記マーキングが、前記複数のエリアのそれぞれの名称を点字で示すものであることを特徴とする。
【００１６】
また本発明は、請求項４に記載の発明において、前記マーキングが、前記複数のエリアの周辺に設けられ、各エリアの縦方向および横方向の位置を示すものであることを特徴とする。
【００１７】
また本発明は、請求項１、２または３に記載の発明において、前記マーキングが、ユーザが音により認識可能なものであることを特徴とする。
【００１８】
また本発明は、請求項１、２または３に記載の発明において、前記マーキングが、ユーザが複数のエリアのそれぞれに触れると音を発し、該音によって認識可能なものであることを特徴とする。
【００１９】
また本発明は、請求項１２に記載の発明において、前記マーキングが、前記複数のエリアのそれぞれごとに異なる音を発するものであることを特徴とする。
【００２０】
また本発明は、請求項１２に記載の発明において、前記マーキングが、前記複数のエリアのそれぞれの横方向エリアナンバーと縦方向エリアナンバーを、縦と横で音の高さを変えて、そのエリアナンバーの数だけブザーを鳴らすものであることを特徴とする。
【００２１】
また本発明は、請求項１２に記載の発明において、前記マーキングが、前記複数のエリアのそれぞれに予め付けた名称を音声で発するものであることを特徴とする。
【００２２】
また本発明は、ユーザに情報表示するとともにユーザが操作指示を入力するタッチパネルを有するタッチパネル付き表示装置において、前記タッチパネル上またはその周辺に、前記タッチパネルを複数のエリアに分割し、前記複数のエリアのそれぞれをユーザが認識することができるマーキングを備えたことを特徴とする。
【００２３】
【発明の実施の形態】
以下、本発明の実施の形態を図面を参照して説明する。
【００２４】
以下の実施の形態では、タッチパネル付き表示装置を操作手段内に設けた画像形成装置について説明するが、本発明が、画像形成装置の操作手段にのみ適用されるものではなく、タッチパネル付き表示装置を使用可能なあらゆる装置に適用可能であることは言うまでもない。
【００２５】
図１は、本発明による画像形成装置の一実施の形態の構成を示す概略断面図である。本実施の形態では画像形成装置として電子写真方式の複写機を例に挙げて説明する。
【００２６】
ここで、図１を参照して本実施の形態による画像形成装置１００の構成および基本動作について説明する。
【００２７】
ユーザが画像形成装置１００に設けられた後述の表示操作部を操作し、コピーの指示を入力すると、自動原稿搬送部１の原稿給紙台１１に画像面を上向きにして載置され原稿は、送り出しローラ１２の動作により１枚ずつ送り出され、レジストローラ１３により一旦停止されて先端が整えられた後、搬送ドラム１４に搬送され、搬送ドラム１４の面に沿って一体になり、搬送ドラム１４が反時計方向に回転する過程で画像読取部２によって画像面の読み取りが行われ、しかる後、ほぼ半周した位置においてドラム面より分岐し排紙台１５に排出される。また、両面読取においては、読取後の原稿を表裏反転し、搬送ドラム１４によって再度搬送して裏面読取を行う。
【００２８】
画像読取部２においては、光源２３ａとミラー２３ｂとを備える第１ミラーユニット２３が、前記搬送ドラム１４の真下の位置で、通過する原稿を順次照明して読み取り、原稿の移動方向に直交するように配置したミラー２４ａとミラー２４ｂとを備える第２ミラーユニット２４により反射し、結像レンズ２５を介してライン状の撮像素子２６に結像して画像情報を得る。また、この画像形成装置１００は、静止原稿台２７に原稿を載置し、前記ミラーユニット２３、２４が移動して読み取る機能も備えている。
【００２９】
画像読取部２において読み取られた原稿画像の画像情報は画像処理装置により画像処理が行われ画像情報として一旦メモリに格納される。
【００３０】
画像形成部３においては、画像情報がメモリより読み出されて露光装置３３に入力し、図示していないレーザ発光器から画像情報に従って変調されたレーザビームがポリゴンミラーの回転作動によって感光層を有する感光体ドラム３１に対する主走査露光を行う。帯電装置３２により前もって帯電電位を付与された感光体ドラム３１の軸方向のポリゴンミラーによる主走査と感光体ドラム３１の回転による副走査とが行われて感光体ドラム３１の感光層に静電潜像を形成する。その後、この静電潜像は現像装置４０で現像剤により反転現像されてトナー像とされる。
【００３１】
これに平行して用紙給紙装置５として、手差し給紙トレイ１９または用紙を収容する本体給紙トレイ７から画像を形成するための用紙が給紙される。本体給紙トレイ７はたとえば７ａ、７ｂ、７ｃの３段を有し、各給紙ローラ５１Ａ、５１Ｂ、５１Ｃのいずれかが作動して用紙を搬出し、搬送ローラ５５、レジストローラ５６および搬送ローラ３９に給送されて、感光体ドラム３１上のトナー像に同期して感光体ドラム３１に給紙される。
【００３２】
用紙が貼りついた状態の感光体ドラム３１は、転写装置３５からの放電を受けるとともに除電ランプ（ＴＳＬ）４１からの光の照射を受け、これによって感光体ドラム３１上のトナー像は用紙側に転移して転写され、トナー像が転写された用紙は、分離装置３６において除電されて感光体ドラム３１から分離し、搬送ベルトを介して定着装置３８に搬送され、ヒーター３８ｃを有しこれによって加熱された定着用ローラ３８ｂと定着用ローラ３８ａとの間を通過する際に加熱圧着され、これによってトナーが定着され、排出部６の定着排紙ローラ６１より排紙され、排紙トレイ６４に排出される。
【００３３】
一方、用紙が分離されるとともに残留電位を除電された感光体ドラム３１はクリーニング装置３７において残留トナーを除去、清掃されて次なる画像形成のプロセスに入れるよう画像形成装置１００は構成されていて、すべての制御は制御手段としてのＣＰＵにおいて行われる。
【００３４】
図２は、図１に示した画像形成装置１００の制御に関する構成を示すブロック図である。
【００３５】
図２に示すように、画像形成装置１００は、全体の制御を行う制御手段１０１と、原稿から画像を読み取る画像読取部２と、たとえば紙などの画像形成用紙に画像を形成する画像形成部３と、画像読取部２によって読み取った画像データやそのほか、制御手段１０１で実行するプログラム、ディジタル複写機１００の動作に必要なパラメータ等を記憶する記憶手段１０２と、ディジタル複写機１００からユーザに対して情報表示したり、ユーザがディジタル複写機１００に対する操作、指示等を入力する操作手段１０３とを有して構成される。また、操作手段１０３は、タッチパネルのように一体化した表示操作部を有して構成される。
【００３６】
図３は、図２に示した操作手段１０３内の表示操作部の構成の一例を示す図である。
【００３７】
図３に示すように、表示操作部１０３ａは、ディジタル複写機１００をユーザが操作するための操作内容の名称を表示し、その位置をユーザが押したり、触れたりすることによってその表示されている内容を選択、入力することができる入力部を有している。
【００３８】
本実施の形態では、図３に一点鎖線で区切って示しているように、表示操作部１０３ａを、縦に９個、横に７個の合計６３個のエリアに分け、それぞれのエリアに操作内容のそれぞれを対応させるようにしている。
【００３９】
なお、本実施の形態ではこのように表示操作部１０３ａを６３個のエリアに分けているが、本発明はこれに限られず、６３個以上でも、６３個以下でもかまわない。また各エリアの大きさ、形状は、それぞれが同じ大きさ、同じ形状でなくてもかまわない。
【００４０】
ユーザはそれぞれのエリアを識別することによって操作内容を選択することができる。本実施の形態では、表示操作部１０３ａにマーキングを設けることによって、ユーザが目が不自由な人の場合であっても各エリアを識別することができ、表示操作部１０３ａのどの位置の入力部を押さえているのかをわかるようにしている。
【００４１】
図４は、本発明による画像形成装置におけるマーキングの第１の実施例について説明する図である。
【００４２】
図４に示すように、この第１の実施例では、表示操作部１０３ａ上の各エリアを格子状のマーキング１０３ｂによって区分けしている。このマーキング１０４ｂは、凸形状であっても凹形状であってもよく、ユーザがたとえば指先で触れたときに格子状のマーキング１０３ｂを認識することができるものであればよい。
【００４３】
このようにタッチパネル上にマーキングする場合には、マーキングが施された透明部材をタッチパネルの表面に貼り付けるのでもよいし、マーキングが施された透明部材シートをタッチパネルの表面に載せ、タッチパネルの枠（操作部ケーシング）をその上から載せることによって、透明部材シートをタッチパネルとその枠とで挟み込むようにしてもよいし、タッチパネルの表面にマーキングを成形するものであってもよい。
【００４４】
図５は、本発明による画像形成装置におけるマーキングの第２の実施例について説明する図である。
【００４５】
図５に示すように、この第２の実施例では、表示操作部１０３ａ上の各エリア内に、マーキング１０３ｃとして、それぞれのエリアを示す凹凸を設けている。このマーキング１０３ｃとしては、各エリア位置を凹凸の数や点字等で示したり、各エリアの縦位置、横位置を凹凸の数や点字等で示したり、各エリアの名称を凹凸の数や点字等で示したり、すなわちエリアごとに異なるマーキングとすればよい。これによって、ユーザは触感で各エリアを認識することができる。
【００４６】
このようにタッチパネル上にマーキングする場合には、マーキングが施された透明部材をタッチパネルの表面に貼り付けるのでもよいし、マーキングが施された透明部材シートをタッチパネルの表面に載せ、タッチパネルの枠（操作部ケーシング）をその上から載せることによって、透明部材シートをタッチパネルとその枠とで挟み込むようにしてもよいし、タッチパネルの表面にマーキングを成形するものであってもよい。
【００４７】
図６は、本発明による画像形成装置におけるマーキングの第３の実施例について説明する図である。
【００４８】
図６に示すように、この第３の実施例では、表示操作部１０３ａ上の各エリアの中に、各エリアに共通の凹凸によるマーキングであるマーキング１０３ｄを施している。このように各エリアに同じ形状のマーキングがされている場合であっても各エリアの位置を認識することができ、ユーザが操作する際の補助となる。
【００４９】
このようにタッチパネル上にマーキングする場合には、マーキングが施された透明部材をタッチパネルの表面に貼り付けるのでもよいし、マーキングが施された透明部材シートをタッチパネルの表面に載せ、タッチパネルの枠（操作部ケーシング）をその上から載せることによって、透明部材シートをタッチパネルとその枠とで挟み込むようにしてもよいし、タッチパネルの表面にマーキングを成形するものであってもよい。
【００５０】
図７は、本発明による画像形成装置におけるマーキングの第４の実施例について説明する図である。
【００５１】
図７に示すように、この第４の実施例では、マーキング１０３ｅとして、表示操作部１０３ａ上の各エリアの横位置と縦位置とが示されるような凹凸によるマーキングを各エリアの外側の周辺に設けてある。この図７では、表示操作部１０３ａの左側に各エリアの縦位置を示すマーキングを設け、上側に各エリアの横位置を示すマーキングを設けている。
【００５２】
なお、このマーキング１０３ｅの場合、図４に示した格子状のマーキング１０３ｂとともに用いるとより効果がある。
【００５３】
この第４の実施例のようにタッチパネルの外側にマーキングする場合には、マーキングが施された透明部材をその位置に貼り付けるのでもよいし、タッチパネルの枠（操作部ケーシング）にマーキングを一体成形するものであってもよい。
【００５４】
なお、上述の第１から第４の実施例では、ユーザが触感によって各エリアを認識することができるようにしたが、本発明はこれに限られるものではなく、たとえば各エリアにユーザが触れたときにそのエリアを示す音が発せられるようにしてもよい。ここでは、以下に示すような、音によってユーザが各エリアを識別する構成もマーキングによる識別と呼ぶ。
【００５５】
発せられる音の例としては、エリアごとに高低や大小等の異なる音が発せられるものであってもよいし、そのエリアの位置（たとえば横位置および縦位置）を示す数だけブザーを鳴らすものであってもよいし、そのエリアの位置（たとえば横位置および縦位置）を音声で発するものであってもよいし（たとえば縦方向は上から６番目で、横方向は左から２番目のエリアであれば、「縦６横２」と音声を発する）、そのエリアに予めつけた名称を音声で発するものであってもよいし、そのエリアに割り当てられた操作、機能名を音声で発するものであってもよいし（たとえば両面原稿を両面コピーする機能を選択するボタンの位置に触れた場合には、「両面から両面」と音声を発する）、そのエリアの横方向エリアナンバーと縦方向エリアナンバーを、縦と横で音の高さを変えて、そのエリアナンバーの数だけブザーを鳴らすものであってもよい。
【００５６】
図８は、本発明による画像形成装置を操作する際の確定ボタンを示す図である。
【００５７】
本発明による画像形成装置の操作手段１０３においては、図８に示すような確定ボタン１０３ｆを設けるのが好ましい。
【００５８】
従来の通常のタッチパネル付き表示装置の場合には、表示されたボタンに触れることによってその表示ボタンを選択、確定したことになり、別の画面に移動してしまったり、入力が決定してしまう。ところが本発明では、ユーザが表示部分を指先でなぞることによってタッチパネルの任意の位置を探し出して選択するため、タッチパネルに触れた途端に入力決定するような構成にすることはできない。
【００５９】
そこで本発明では、図８に示す確定ボタン１０３ｆを設け、ユーザがタッチパネル（表示操作部１０３ａ）上に触れて各エリアを選択しても別の画面に移動してしまったり、入力が決定してしまうことをなくし、タッチパネル上では各エリアの選択のみを行うものとし、タッチパネル部以外の部分に設けた確定ボタン１０３ｆを押下することによって選択を確定し、別の画面に移動したり、入力を決定するようにした。この制御は確定制御手段である制御手段１０１で動作するソフトウェアによって行われる。
【００６０】
なお、確定ボタン１０３ｆはこの確定の機能のみの独立したボタンとして設けてもよいし、他の機能のボタンと確定ボタンとを兼用してもよい。
【００６１】
また、確定ボタン１０３ｆは、表示操作部１０３ａのような表示内容に応じて押下時の機能が変わってしまうようなソフトキーではなく、いつでも同じ位置に同じ機能として設けられたハードキーであることが望ましい。このようにすることによって目が不自由な人であっても操作をしやすくすることができる。
【００６２】
また、上述のように確定ボタン１０３ｆを押下して初めて入力が確定されるものとすると、目が不自由な人にとってはよいが、健常者にとっては操作するキーの数が増えることになり、従来より操作性が悪化してしまうことになる。そこで、タッチパネルに触れるだけで選択、確定とするモードにするか、タッチパネルに触れるだけでは選択のみで、確定ボタンを押下して確定されるモードにするかをユーザが切り替えることができるように確定制御手段が制御するのが好ましい。
【００６３】
【発明の効果】
以上説明したように、本発明によれば、目が不自由なユーザであっても容易に操作入力することができる画像形成装置を提供することができる。
【００６４】
すなわち本発明によれば、表示操作部を複数のエリアに分割し、分割したエリアのそれぞれをユーザが認識することができるようにしたので、目が不自由なユーザであってもタッチパネル付き表示装置を使用することが可能となる。
【図面の簡単な説明】
【図１】本発明による画像形成装置の一実施の形態の構成を示す概略断面図である。
【図２】図１に示した画像形成装置の制御に関する構成を示すブロック図である。
【図３】図２に示した操作手段内の表示操作部の構成の一例を示す図である。
【図４】本発明による画像形成装置におけるマーキングの第１の実施例について説明する図である。
【図５】本発明による画像形成装置におけるマーキングの第２の実施例について説明する図である。
【図６】本発明による画像形成装置におけるマーキングの第３の実施例について説明する図である。
【図７】本発明による画像形成装置におけるマーキングの第４の実施例について説明する図である。
【図８】本発明による画像形成装置を操作する際の確定ボタンを示す図である。
【符号の説明】
１　自動原稿搬送部
１１　原稿給紙台
１２　送り出しローラ
１３　レジストローラ
１４　搬送ドラム
１５　排紙台
２　画像読取部
２３ａ　光源
２３ｂ　ミラー
２３　第１ミラーユニット
２４ａ　ミラー
２４ｂ　ミラー
２４　第２ミラーユニット
２５　結像レンズ
２６　撮像素子
２７静止原稿台
３　画像形成部
３１　感光体ドラム
３２　帯電装置
３３　露光装置
４０　現像装置
５　用紙給紙装置
１９　手差し給紙トレイ
７　本体給紙トレイ
７ａ、７ｂ、７ｃ　本体給紙トレイ
５１Ａ、５１Ｂ、５１Ｃ　給紙ローラ
５５　搬送ローラ
５６　レジストローラ５６
３９　搬送ローラ
３５　転写装置
４１　除電ランプ（ＴＳＬ）
３６　分離装置
３８　定着装置
３８ａ、３８ｂ　定着用ローラ
３８ｃ　ヒーター
６　排出部
６１　定着排紙ローラ
６４　排紙トレイ
３７　クリーニング装置
１００　画像形成装置
１０１　制御手段
１０２　記憶手段
１０３　操作手段
１０３ａ　表示操作部
１０３ｂ、１０３ｃ、１０３ｄ、１０３ｅ　マーキング
１０３ｆ　確定ボタン
【図１】
2004142254.tif 000003
【図２】
2004142254.tif 000004
【図３】
2004142254.tif 000005
【図４】
2004142254.tif 000006
【図５】
2004142254.tif 000007
【図６】
2004142254.tif 000008
【図７】
2004142254.tif 000009
【図８】
2004142254.tif 000010